(57)【要約】【課題】  スイッチボックスの扉に配置した非常ボタン押圧用の透孔からドライバー等を挿入して扉内部に配置された開操作ボタンを押圧すると電動シャッターの開操作が可能となるのを防止する。【解決手段】  スイッチボックス２における扉１４の非常ボタン７正面側配置の透孔１５と，中板５の開操作ボタン１１間に物理的障壁として，該中板５から扉１４側に向けて起立設置した仕切プレート２１と，扉１４から中板５側に向けて起立設置した仕切プレート２０を２重に配置してドライバー等の進行を阻止できるようにする。各仕切プレート２０，２１は断面Ｌ字状に形成して，その底板２２を中板５又は扉１４に対して逆向きに溶着配置してあり，強圧的なドライバー等の挿入にもその折曲部が引張力と圧縮力によってこれに抗する結果，開操作ボタン１１の押圧が不可能となる。【選択図】        図５
2005290926.tif 000002
【特許請求の範囲】
【請求項１】
スイッチボックスの扉に配置した非常ボタン正面側の透孔と，中板に非常ボタンに並べ配置した操作ボタン間に物理的障壁を配置してなることを特徴とする電動シャッターのスイッチボックス。
【請求項２】
上記物理的障壁を，上記中板の非常ボタンと開操作ボタン間に該中板から扉側に向けて起立設置した仕切プレートによって形成してなることを特徴とする請求項１に記載の電動シャッターのスイッチボックス。
【請求項３】
上記物理的障壁を，中板の非常ボタンと開操作ボタン間に該中板から扉側に向けて起立設置し且つ扉から中板側に向けて起立設置した２重の仕切プレートによって形成してなることを特徴とする請求項１に記載の電動シャッターのスイッチボックス。
【請求項４】
上記物理的障壁を，中板の開操作ボタンを区画囲繞する中板から扉側に向け又は扉から中板側に向けて起立設置したカバーボックスによって形成してなることを特徴とする請求項１に記載の電動シャッターのスイッチボックス。
【発明の詳細な説明】
【技術分野】
【０００１】
本発明は電動シャッターに関し，特にそのスイッチボックスに関する。
【背景技術】
【０００２】
この種電動シャッターのスイッチボックスは，ボックス本体と，該ボックス本体内に配置した回路ボックスと，ボックス本体前後中間位置に配置した中板と，該中板に配置したシャッターカーテンの開，閉及び停止のスイッチ操作を行なう各操作ボタン及びその上位乃至下位に位置する非常ボタンと，該操作スイッチを閉塞し且つ非常ボタン正面側を部分的に透孔として軟質樹脂等のキャップでカバーした鍵付きの扉と，シャッターボックスの一側端部に配置して上記非常ボタンの押圧操作によって扉から正面側に飛出して電動開閉器のブレーキを解除してシャッターカーテンを手動開閉し得るようにしたブレーキレバーとを備えたものとされている。
【０００３】
【特許文献１】特開平９−３２４５９０号公報（図４）
【発明の開示】
【発明が解決しようとする課題】
【０００４】
このスイッチボックスを防犯面から見ると，扉には非常ボタンの押圧操作用にして上記軟質樹脂等のキャップでカバーした部分的な透孔が設置されており，キャップを外すと該透孔が扉の内外を連通することによって，例えば透孔からドライバー等のバー材を，扉と非常ボタンの隙間を利用して中板側に斜め方向に挿入すると，バー材の先端で操作ボタン，特にシャッターカーテンを上昇開成する開操作ボタンを押圧することが可能となり，従ってこのような操作がなされると，電動装置を作動してシャッターカーテンを上昇開成することができる可能性が残されている。該スイッチボックスは比較的頑丈に形成されているので防犯に強いものと認識されているが，現実にはなおその防犯性を向上する必要がある。
【０００５】
本発明はかかる事情に鑑みてなされたもので，その解決課題とするところは，上記非常ボタンの透孔を用いた操作ボタン，特にシャッターカーテンの開操作ボタンの押圧を防止して防犯性を向上し得るようにした電動シャッターのスイッチボックスを提供するにある。
【課題を解決するための手段】
【０００６】
上記課題に添って本発明は，透孔からのバー材の挿入に対して，該バー材を操作ボタンに至る手前でその進行を阻止することによって該バー材から操作ボタンを保護し得るようにスイッチボックスに物理的障壁を配置したものであって，即ち請求項１に記載の発明を，スイッチボックスの扉に配置した非常ボタン正面側の透孔と，中板に非常ボタンに並べ配置した操作ボタン間に物理的障壁を配置してなることを特徴とする電動シャッターのスイッチボックスとしたものである。
【０００７】
請求項２に記載の発明は，上記に加えて，シャッターボックス内に納めるように物理的障壁を中板に設置し，扉を従前と同様にして扉の交換が必要になってもそのコストアップを避け得るように，これを，上記物理的障壁を，中板の非常ボタンと開操作ボタン間に該中板から扉側に向けて起立設置した仕切プレートによって形成してなることを特徴とする請求項１に記載の電動シャッターのスイッチボックスとしたものである。
【０００８】
請求項３に記載の発明は，同じく上記に加えて，透孔からのバー材の挿入が，例えばハンマーの打圧によって強圧的になされても，物理的障壁を可及的に強靭なものとすることによって該バー材の進行を厳重に阻止し得るものとするように，これを，上記物理的障壁を，中板の非常ボタンと開操作ボタン間に該中板から扉側に向けて起立設置し且つ扉から中板側に向けて起立設置した２重の仕切プレートによって形成してなることを特徴とする請求項１に記載の電動シャッターのスイッチボックスとしたものである。
【０００９】
請求項４に記載の発明は，同じく上記に加えて，同様に透孔からのバー材の挿入が，例えばハンマーの打圧によって強圧的になされても，円形，矩形等の形状を備えることによってそれ自体強度に優れたカバーボックスを用いて，同じく該バー材の進行を厳重に阻止し得るものとするように，これを，上記物理的障壁を，中板の開操作ボタンを区画囲繞する中板から扉側に向け又は扉から中板側に向けて起立設置したカバーボックスによって形成してなることを特徴とする請求項１に記載の電動シャッターのスイッチボックスとしたものである。
【００１０】
本発明はこれらをそれぞれ発明の要旨として上記課題解決の手段としたものである。
【発明の効果】
【００１１】
本発明は以上のとおりに構成したから，請求項１に記載の発明は，透孔からのバー材の挿入に対して，該バー材を操作ボタンに至る手前でその進行を阻止することによって該バー材から操作ボタンを保護し得るようにスイッチボックスに物理的障壁を配置したものとして，非常ボタンの透孔を用いた操作ボタン，特にシャッターカーテンの開ボタンの押圧を防止し得るようにした電動シャッターのスイッチボックスを提供することができる。
【００１２】
請求項２に記載の発明は，上記に加えて，シャッターボックス内に納めるように物理的障壁を中板に設置し，扉を従前と同様にして扉の交換が必要になってもそのコストアップを避けることができる。
【００１３】
請求項３に記載の発明は，同じく上記に加えて，透孔からのバー材の挿入が，例えばハンマーの打圧によって強圧的になされても，物理的障壁を可及的に強靭なものとすることによって該バー材の進行を厳重に阻止し得るものとすることができる。
【００１４】
請求項４に記載の発明は，同じく上記に加えて，同様に透孔からのバー材の挿入が，例えばハンマーの打圧によって強圧的になされても，円形，矩形等の形状を備えることによってそれ自体強度に優れたカバーボックスを用いて，同じく該バー材の進行を厳重に阻止し得るものとすることができる。
【発明を実施するための最良の形態】
【００１５】
以下図面の例に従って本発明を更に具体的に説明すれば，Ａは電動シャッター，１はシャッターカーテン，２は，例えばステンレス製としたスイッチボックス，３はそのボックス本体，５は中板，６は該中板５の背面に設置した回路ボックス，７は中板５の，本例にあって上方に設置した非常ボタン，１０は該非常ボタン７に並べ配置した操作ボタン，１１はその上位に位置して非常ボタン７に隣接するように配置した開操作ボタン，１２はその中位に位置する停止ボタン，１３はその下位に位置する閉操作ボタン，１４はボックス本体３に軸支することによって該ボックス本体３に開閉自在に支持した扉，１５は該扉１４に配置した非常ボタン７正面側の透孔，１６は該透孔１５の，例えば軟質樹脂で装着時に非常ボタンを押圧可能に嵌着したキャップ，１７は扉の施錠装置，１８は非常ボタン７の押圧操作によってボックス本体３から脱出して手前に引くことによって電動開閉器のブレーキを解除してシャッターカーテン１の手動開閉を可能とするようにボックス本体３の一側端部に配置したブレーキレバーを示す。
【００１６】
スイッチボックス２は，その扉１４の上記非常ボタン７正面側の透孔１５と，中板５の上記操作ボタン１０間に物理的障壁を配置したものとしてあり，これによって透孔１５からのバー材の挿入に対して，該バー材の進行を阻止し，バー材から操作ボタン１０を保護し得るようにして，非常ボタン７の透孔１５を用いた操作ボタン１０，特にシャッターカーテン１の開操作ボタン１１押圧のスイッチ操作によってシャッターカーテン１の上昇開成を防止し得るようにしてある。
【００１７】
図１乃至図５の例は，上記物理的障壁を，中板５の非常ボタン７と開操作ボタン１１間に該中板５から扉１４側に向けて起立設置し且つ扉１４から中板５側に向けて起立設置した２重の仕切プレート２０，２１によって形成した例である。
【００１８】
本例にあって２重の仕切プレート２０，２１は，中板５の正面側と扉１４の背面側に，相互に位置をずらしてこれらの間に幾分の空隙を置いてこれらが衝接することのないように，それぞれ中板５及び扉１４に，例えば上下位に対をなすように起立設置してあり，このとき該仕切プレート２０，２１は，厚肉のステンレス板を断面倒Ｌ字状をなすように折曲加工することによって，それぞれ底板２２と該底板２２の一側端部から直交方向に起立した起立板２３とを備えるとともに該起立板２３の幅を中板５及び扉１４の横幅より幾分短く，扉１４を閉鎖した状態でこれらを横断的に仕切るように幅広に配置したものとしてある。
【００１９】
このとき本例にあって該２重の仕切プレート２０，２１は，底板の向きを上下で逆方向に向けて配置し，これによって上記透孔１５からバー材が強圧的に挿入されてこれらに衝接したとき，断面倒Ｌ字状の仕切プレート２０，２１の折曲部分に一方において引張力として，他方において圧縮力として作用して，これらに抗して双方の仕切プレート２０，２１を破壊し又は変形しない限り，物理的障壁を乗り越えて開操作ボタン１１に到達し得ないようにして，断面倒Ｌ字状とした２重の仕切プレート２０，２１による強度に加えて更にその底板２２の向きを逆配置することによる強度を確保して，極めて強靭にして高度な防犯性を備えたものとしてある。
【００２０】
本例の該２重の仕切プレート２０，２１は，扉１４から中板５側に向けた仕切プレート２０の起立片２３を上位に，中板５から扉１４側に向けた仕切プレート２１の起立片２３を下位に位置するようにその配置を行ってあり，このとき上記扉１４からの仕切プレート２０は，底板２２を，例えば半円状に切り欠いて該切欠き部分を透孔１５下半分の半円縁部に沿うように底板２２を扉１４裏面に対接し，該底板２２を溶着，例えばスポット溶接することによって透孔１５下端から起立片２３を中板５側に向けて起立して水平に配置し，また中板５からの仕切プレート２１は，底板２２を中板５の非常ボタン７と操作ボタン１０，特にその開操作ボタン１１との空隙部分に対接し，同様に該底板２２を溶着することによって該空隙部分から扉１４側，特に上記扉１４から起立した仕切プレート２０の起立片２３の下位に位置するようにその起立片２３を起立して同じく水平に配置してあり，これによって上記底板２２の向きを逆配置した２重の仕切プレート２０，２１設置を行って上記透孔１５からのバー材の挿入に対して操作ボタン１０，特にその開操作ボタン１１を保護して上記高度な防犯性を確保してある。
【００２１】
なおこの場合施錠装置１７の上位に扉１４側からの仕切プレート２０における起立片２３が位置することによって，市販の施錠装置を用いたときにそのロック用の回転プレートが上向きに回転してこれに当る結果となるときは，その回転方向を下向きとするように該施錠装置１７の設置を上下に反転して行なうようにすればよい。
【００２２】
図６及び図７の例は，上記物理的障壁を，中板５の開操作ボタン１１を区画囲繞する中板５から扉１４側に向け又は扉１４から中板５側に向けて起立設置したカバーボックス２４によって形成した例である。
【００２３】
本例にあってカバーボックス２４は，例えば扉１４の上記透孔１５下位にして，施錠装置１７の高さ位置で該施錠装置１７を避けたその側部から中板５側に向けて起立設置した円形，矩形等にして，同じく厚肉のステンレス板を折曲乃至湾曲加工して，対接する長手方向両端を溶着，例えばろう付け溶接して，高さ方向の両側の面を開放した円形，矩形等，本例にあっては矩形の環状としたものとしてあり，その起立設置は同じくその一方の面側の端縁を扉１４の裏面に対接し，該端縁を扉１４に同様に溶着することによって中板５側に向けて起立配置し，扉１４を閉鎖した状態で，上記非常ボタン７，中位の停止操作ボタン１２と開操作ボタン１１の空隙部分に先端側，即ち中板５側の端部が入り込むように位置して該開操作ボタン１１を受入れて区画囲繞するようにしてある。
【００２４】
この場合カバーボックス２４は，厚肉のステンレス製にして扉側の端縁を扉１４に溶着して円形，矩形等の形状を呈することによって形状強度を確保するとともに，本例にあってはその起立高さを扉１４と中板５間の比較的短寸のものとしたことによって，更にその保形性を向上するように形状強度を補強する結果，上記と同様に透孔１５からバー材が強圧的に挿入されてこれに衝接しても，その強度が高いことによってこれを破壊し又は変形しない限り，物理的障壁を乗り越えて開操作ボタン１１に到達し得ないようにして，同様に極めて強靭にして高度な防犯性を備えたものとしてある。
【００２５】
更に図８及び図９は，上記物理的障壁を，この種透孔１５からのバー材の挿入による開操作ボタン１１の保護に一般に充分な強度を持つ一方で，可及的簡易にこれを構成した例として，該物理的障壁を，中板５の非常ボタン７と開操作ボタン１１間に該中板５から扉側に向けて起立設置した仕切プレート２１によって形成した例である。
【００２６】
本例にあって該中板５から扉側に向けて起立設置した仕切プレート２１は，上記図１乃至図５の扉１４から中板側に向けた仕切プレート２０の設置を省略した単一設置の形態にして，本例にあっては上記例と同様に底板２２と該底板２２の一側端部から直交方向に起立した起立板２３とを備えて断面倒Ｌ字状をなす厚肉のステンレス製のものを用いて，その底板２２を中板５に対接して溶着，例えばスポット溶接することによって同様に，扉１４を閉鎖した状態でこれらを横断的に仕切るように幅広に配置したものとしてある。
【００２７】
このとき本例の仕切プレート２１は，該底板２２を非常ボタン７側に向けるように配置することによって，透孔１５からのバー材の挿入に際して折曲部分に引張力が作用するようにしてあるが，該仕切プレート２１が幅広のものであることによって，バー材が強圧的に挿入されても，その強度は一般に充分で，これを破壊又は変形するのを困難であり，従って上記２重の仕切プレート２０，２１と比較するとその強度において差を生じるが，相当程度に強靭にして高度な防犯性を備えたものとすることができる。
【００２８】
一方この場合，例えば侵入犯がドリルによって扉１４に穴あけを試みたとき，ハンマー等で扉１４を押圧したときの如くに扉１４の交換を行なう場合に，扉１４は従前と同様に仕切プレート２０等の物理的障壁のないものとすることができるから，中板５の仕切プレート２１によって防犯性を向上しながら，扉１４交換のコストを従前と変わらないものとすることができるメリットがある。
【００２９】
図６乃至図９のその余は上記図１乃至図５の例と変わらないので同一符合を付してその重複する説明を省略する。なお図中４はボックス本体３の天板に透設したブレーキレバー１８と電動開閉器を連結するワイヤー乃至回路ボックス６からの配線等を挿通するに用いる挿通孔，８は非常ボタン７の移動ガイド，９は該移動ガイド８のガイドレール，１９はブレーキレバー１８のレバーケースである。
【００３０】
図示した例は以上のとおりとしたが，例えば物理的障壁として単一乃至２重設置の仕切プレートを用いる場合，該仕切プレートの起立片を，例えば透孔と同心円の円弧面をなすものとすることができ，この場合底板が固定されていることと相俟って透孔からのバー材の挿入に対して更に強度を向上した物理的障壁とすることができる。この場合を含めて本発明の実施に当って，電動シャッター，スイッチボックス，その扉，透孔，中板，非常ボタン，操作ボタン，物理的障壁，必要に応じて用いる単一又は２重の仕切プレート，カバーボックス等の各具体的形状，材質，構造，これらの関係，これらに対する付加等は，上記発明の要旨に反しない限り様々の形態のものとすることができる。
【図面の簡単な説明】
【００３１】
【図１】電動シャッターの閉成状態の正面図である。
【図２】スイッチボックスの正面図である。
【図３】スイッチボックスの縦断面図である。
【図４】スイッチボックスの横断面図である。
【図５】スイッチボックスの扉を開放した状態の斜視図である。
【図６】他の例のスイッチボックスの扉を開放した状態の斜視図である。
【図７】図５のスイッチボックスの縦断面図である。
【図８】更に他の例のスイッチボックスの扉を開放した状態の斜視図である。
【図９】図７のスイッチボックスの縦断面図である。
【符号の説明】
【００３２】
Ａ  電動シャッター
１  シャッターカーテン
２  スイッチボックス
３  ボックス本体
５  中板
７  非常ボタン
１０  操作ボタン
１１  開操作ボタン
１４  扉
１５  透孔
２０  仕切プレート
２１  仕切プレート
２４  カバーボックス
【図１】
2005290926.tif 000003
【図２】
2005290926.tif 000004
【図３】
2005290926.tif 000005
【図４】
2005290926.tif 000006
【図５】
2005290926.tif 000007
【図６】
2005290926.tif 000008
【図７】
2005290926.tif 000009
【図８】
2005290926.tif 000010
【図９】
2005290926.tif 000011